(57)【要約】【課題】利用者の行動特性に対応した最適な画面表示を実現することによる利用者にとっての操作性や利便性の向上【解決手段】利用者端末２に表示される優先表示選択メニューから利用者の選択した優先項目のデータと、表示定義格納部１１の表示定義データと、実績データ格納部１２の実績データと、タイマー１３から取得した日付時刻データとに基づいて、動作制御部１４が、画面表示するメニュー項目の表示優先順位付けを行い、しかる後に表示部１６が、前記動作制御部１４により表示優先順位付けされたメニュー項目の表示位置を変更して利用者端末２の画面に表示させる。【選択図】  図１
2004287815.tif 000002
【特許請求の範囲】
【請求項１】
利用者端末の画面に表示する各メニュー項目と、各メニュー項目にそれぞれ対応するプログラム機能との関連を定義付けた表示定義データを格納する表示定義格納部と、
利用者が過去に実行したメニュー項目選択操作の選択回数に関する実績データを格納する実績データ格納部と、
利用者端末に表示される優先表示選択メニューから利用者が一の優先項目を選択した時点での日付および時刻のデータを取得するためのタイマーと、
優先表示選択メニューから利用者の選択した優先項目のデータと、前記表示定義格納部の表示定義データと、前記実績データ格納部の実績データと、前記タイマーから取得した日付時刻データとに基づいて、画面表示するメニュー項目の表示優先順位付けを行う動作制御部と、
前記動作制御部により表示優先順位付けされたメニュー項目の表示位置を変更して利用者端末の画面に表示させる機能を有する表示部と、
を有することを特徴とする画面表示制御システム。
【請求項２】
Ｗｅｂサーバがアクセス元に配信する各種コンテンツに関するデータを格納するコンテンツ格納部と、
利用者が過去に実行したコンテンツ選択操作の選択回数に関する実績データを格納する実績データ格納部と、
利用者端末からコンテンツへアクセスされた時点での日付および時刻のデータを取得するためのタイマーと、
優先表示選択メニューから利用者の選択した優先項目のデータと、前記実績データ格納部の実績データと、前記タイマーから取得した日付時刻データとに基づいて、利用者端末に最優先で画面表示するコンテンツの最優先表示順位付けを行う動作制御部と、
前記動作制御部により最優先表示順位付けされたコンテンツを前記コンテンツ格納部内から取得してトップページに替えて利用者端末の画面に優先表示させる表示部と、
を有することを特徴とする画面表示制御システム。
【請求項３】
前記実績データ格納部に格納される実績データは、利用者毎の過去における同一曜日の選択回数に関するデータを含有していることを特徴とする請求項１又は２に記載の画面表示制御システム。
【請求項４】
前記実績データ格納部に格納される実績データは、利用者毎の過去における同一旬間の選択回数に関するデータを含有していることを特徴とする請求項１，２又は３に記載の画面表示制御システム。
【請求項５】
前記実績データ格納部に格納される実績データは、利用者毎の過去における同一時間帯の選択回数に関するデータを含有していることを特徴とする請求項１，２，３又は４に記載の画面表示制御システム。
【発明の詳細な説明】
【０００１】
【発明の属する技術分野】
本発明は、利用者に機能や遷移先画面の選択を促すことを目的とした画面の表示制御システムに係り、特に、過去における同一曜日，同一旬間あるいは同一時間帯における利用者の画面選択回数に基づいて画面上の表示を動的に変化させる画面表示制御システムに関する。
【０００２】
【従来の技術】
従来、利用者に機能や遷移先を選択させることを目的としたプログラム機能選択メニュー等の画面表示に関する利用者の選択操作性の向上を図る技術として、例えば以下の先行技術文献に記載のものがある。
【０００３】
【特許文献１】
特開平１０−２６９０５１号公報
【特許文献２】
特開２０００−９９２３１号公報
【０００４】
上記特許文献１に記載の発明は、階層構造を持つメニューシステムにおいて、選択頻度の高いメニュー項目が同一階層の中で上位に配置される技術であり、換言すれば、利用者の過去における累計選択回数の多いメニュー項目を優先的に上位に表示させるものである。
【０００５】
また、上記特許文献２に記載の発明は、前回選択されてからの期間が短いメニュー項目ほど大きなフォントサイズで且つ上位に配置，表示させる技術である。また上記特許文献２には、過去における選択回数に基づいてメニュー項目の表示順序等を変更させる点についても示唆されている。
【０００６】
【発明が解決しようとする課題】
しかしながら、上記特許文献１に記載の技術は、単に選択回数の累積値に基づいてメニュー項目の優先表示であるため、長く使い続けるうちに最終的にはメニュー項目の表示は固定的になってしまう。よって、結果的にはメニュー項目の画面表示を動的に変化し得るものにはならない。
【０００７】
また、上記特許文献２に記載の技術によれば、直近に選択された項目が優先的に上位に表示されることとなるが、例えば業務上、毎月月末においてのみ選択回数が多くなるメニュー項目（メニューＡとする）が存在する場合、毎月上旬から中旬にかけて選択回数が多かった他のメニュー項目が上位に優先表示された状態で月末を迎えることとなるため、結果的には月末当初において上記メニューＡが優先表示されないこととなってしまう。
【０００８】
以上のように従来では、利用者が項目選択を実施しようとする時間的な局面における行動特性を考慮していなかったため、利用者の利用環境によっては、メニュー項目の選択操作の容易性の確保，操作性の向上が図られているとは必ずしも言い難かった。
【０００９】
また、上記従来技術はいずれもメニュー項目選択画面を対象としているが、例えばＷｅｂページ等の他種の画面については考慮されていない。そこで、このような他種の画面表示選択について、利用者に時間的局面における行動特性がある場合にも、その行動特性に対応した最適な画面表示を可能とするシステムが構築されることが好ましい。
【００１０】
そこで本発明の目的は、過去における同一曜日，同一旬間あるいは同一時間帯における利用者の各画面表示の選択回数に基づいて当該利用者が選択を実施しようとする際にその都度動的に画面表示を変化させ、利用者の曜日，旬間，時間帯別の行動特性に応じた最適な画面表示を可能とすることで、画面選択に要する時間の短縮化および利便性の向上を図ることを可能とする画面表示制御システムを提供することにある。
【００１１】
【課題を解決するための手段】
上記目的を達成するために、本発明の画面表示制御システムは、利用者端末の画面に表示する各メニュー項目と、各メニュー項目にそれぞれ対応するプログラム機能との関連を定義付けた表示定義データを格納する表示定義格納部と、利用者が過去に実行したメニュー項目選択操作の選択回数に関する実績データを格納する実績データ格納部と、利用者端末に表示される優先表示選択メニューから利用者が一の優先項目を選択した時点での日付および時刻のデータを取得するためのタイマーと、優先表示選択メニューから利用者の選択した優先項目のデータと、前記表示定義格納部の表示定義データと、前記実績データ格納部の実績データと、前記タイマーから取得した日付時刻データとに基づいて、画面表示するメニュー項目の表示優先順位付けを行う動作制御部と、前記動作制御部により表示優先順位付けされたメニュー項目の表示位置を変更して利用者端末の画面に表示させる機能を有する表示部と、を有するものである。
【００１２】
また、本発明の画面表示制御システムは、Ｗｅｂサーバがアクセス元に配信する各種コンテンツに関するデータを格納するコンテンツ格納部と、利用者が過去に実行したコンテンツ選択操作の選択回数に関する実績データを格納する実績データ格納部と、利用者端末からコンテンツへアクセスされた時点での日付および時刻のデータを取得するためのタイマーと、優先表示選択メニューから利用者の選択した優先項目のデータと、前記実績データ格納部の実績データと、前記タイマーから取得した日付時刻データとに基づいて、利用者端末に最優先で画面表示するコンテンツの最優先表示順位付けを行う動作制御部と、前記動作制御部により最優先表示順位付けされたコンテンツを前記コンテンツ格納部内から取得してトップページに替えて利用者端末の画面に優先表示させる表示部と、を有するものである。
【００１３】
さらに、上記画面表示制御システムにおいて、前記実績データ格納部に格納される実績データが、利用者毎の過去における同一曜日の選択回数に関するデータを含有していること、利用者毎の過去における同一旬間の選択回数に関するデータを含有していること、あるいは、利用者毎の過去における同一時間帯の選択回数に関するデータを含有していることにより、最良の効果を奏することとなる。
【００１４】
【発明の実施の形態】
以下、本発明の一実施形態に係る画面表示制御システムについて、図面に基づいて説明する。尚、本実施形態に係る画面表示制御システムはメニュー項目の画面表示を制御するものとして、以下説明する。
【００１５】
［画面表示制御システムの構成］
まず、本実施形態に係る画面表示制御システムの構成について、図１を参照して説明する。図１は本発明の一実施形態に係る画面表示制御システムの構成図である。
【００１６】
本実施形態に係る画面表示制御システム１は、各利用者端末２とＷＡＮ（Ｗｉｄｅ  Ａｒｅａ  Ｎｅｔｗｏｒｋ）やＬＡＮ（Ｌｏｃａｌ  Ａｒｅａ  Ｎｅｔｗｏｒｋ）等といったネットワーク３により接続されており、表示定義格納部１１と、実績データ格納部１２と、タイマー１３と、動作制御部１４と、受付部１５と、表示部１６とを有するものである。以下、各部について詳細に説明する。
【００１７】
［表示定義格納部］
前記表示定義格納部１１は、画面に表示する各メニュー項目と、各メニュー項目にそれぞれ対応するプログラム機能との関連を、例えば図２のように定義付けた表示定義データを格納しておくためのものである。図２の例では、メニュー項目における「掲示板」に対応する機能として、掲示板にアクセスするためのプログラムを起動するコマンドである「ＢＢＳ．ｅｘｅ」を定義付けている。以下、「ブックマーク」，「報告書作成」，「電子メール」，「会議室予約」，「スケジュール」というメニュー項目に対し、各々に対応する機能として、「Ｂｏｏｋｍａｒｋ．ｅｘｅ」，「Ｄｏｃｕｍｅｎｔ．ｅｘｅ」，「Ｍａｉｌ．ｅｘｅ」，「Ｒｅｓｅｒｖｅ．ｅｘｅ」，「Ｓｃｈｅｄｕｌｅ．ｅｘｅ」というコマンドをそれぞれ定義付けて割り当てている。
【００１８】
［実績データ格納部］
前記実績データ格納部１２は、利用者が実行した選択操作の実績を格納するためのものである。この実績データ格納部１２に格納する実績データは、例えば図３のように構成されている。図３における実績データでは、利用者別およびメニュー項目別の選択回数について、曜日別，上中下旬別，および３時間毎の時間帯別にそれぞれ展開したデータ構成となっている。
【００１９】
図３の実績データによれば、例えばＵｓｅｒ１という利用者の掲示板に対する選択回数の実績は、曜日別では、月曜日に４０回，火曜日に５回，水曜日に５回，木曜日に５回，金曜日に５回の選択が行われていることが分かる。また、上中下旬別の選択回数では、毎月１日から１０日までの間（上旬）には１０回，１１日から２０日までの間（中旬）には５０回，２１日から月末までの間（下旬）には０回の「掲示板」項目の選択が行われていることが分かる。また、時間帯別の選択回数では、毎日０時から２時台までの間には０回，３時から５時台までの間には０回，６時から８時台までの間には０回，９時から１１時台までの間には５０回，１２時から１４時台までの間には１０回，１５時から１７時台までの間には０回，１８時から２０時台までの間には０回，２１時から２３時台までの間には０回の「掲示板」項目の選択が行われていることが分かる。
【００２０】
こうして選択回数の実績データから、Ｕｓｅｒ１という利用者は、毎月中旬の月曜日の９時から１１時台の間に「掲示板」項目の選択、換言すると掲示板を最も頻繁に利用する習慣があることが分かる。また同様に、Ｕｓｅｒ１の報告書作成に関する選択回数の実績データから、Ｕｓｅｒ１は、毎月下旬の木曜日と金曜日の１５時から２０時台の間に「報告書作成」項目の選択、換言すると報告書作成という業務を行う習慣があることが分かる。
【００２１】
［タイマー］
前記タイマー１３は、後述の図４のような優先表示選択メニューにおける優先項目データや、メニュー項目を選択した時点での日付および時刻のデータを取得するために利用する実時刻を示す時計である。
【００２２】
［動作制御部］
前記動作制御部１４は、優先表示選択メニューから利用者の選択した優先項目のデータと、前記表示定義格納部１１に格納されている表示定義データと、前記実績データ格納部１２に格納されている選択回数に関する実績データと、前記タイマー１３から取得した日付時刻データとに基づいて、画面表示するメニュー項目の表示優先順位付けを行う。また、利用者がメニュー項目の選択操作を行った場合には、前記表示定義格納部１１の表示定義データに従って利用者に選択されたメニュー項目に対応する機能を実行させると共に、選択回数の実績の更新を行ってその更新データを実績データ格納部１２に格納する。
【００２３】
［受付部］
前記受付部１５は、利用者の識別情報，利用者に選択された優先項目データおよびメニュー項目データを利用者端末２の側から受け付けるものである。
【００２４】
［表示部］
前記表示部１６は、当該画面表示制御システム１の起動時に優先表示選択メニューを利用者端末２の画面に表示させる機能と、利用者の選択した優先表示選択メニューの優先項目に従って、前記動作制御部１４により表示優先順位付けされたメニュー項目の表示位置を変更して利用者端末２の画面に表示させる機能とを有するものである。
【００２５】
［画面表示制御システムによる処理手順］
次に、上記構成の画面表示制御システム１によるメニュー項目データ優先表示の処理手順について、図５を参照して説明する。尚、以下の説明では、図３の実績データに基づいてメニュー項目の優先表示が行われるものとする。
【００２６】
まず、利用者端末２の起動により、画面表示制御システム１が起動される（ステップＳＴ１）。
【００２７】
次に、画面表示制御システム１が起動されると、表示部１６によって起動した利用者端末２の画面上には図４の符号４ａに例示する優先表示選択メニューが表示される（ステップＳＴ２）。このような状態で画面表示制御システム１は、利用者によって優先表示選択メニューにおける選択操作があるまで待機状態となる。そして、利用者が優先表示選択メニューにおいて優先項目選択操作を行うと（ステップＳＴ３）、前記受付部１５が利用者端末２のオペレーティングシステム等から利用者を識別するための利用者情報を取得すると共に選択された優先項目データをも取得し、且つ前記動作制御部１４が、前記タイマー１３から上記優先項目選択操作が行われた時点の日付および時刻を取得する（ステップＳＴ４）。
【００２８】
続いて、前記動作制御部１４は、前記受付部１５が取得した利用者情報および優先項目データと、前記実績データ格納部１２に格納済の実績データと、前記タイマー１３から取得した日付時刻データとに基づき、メニュー項目毎の過去における選択回数が多い順にメニュー項目の表示優先順位付けを行う（ステップＳＴ５）。そして、この表示優先順位に従って、前記表示部１６が利用者端末２の画面上に、メニュー項目を例えば図４の符号４ｂのように表示する（ステップＳＴ６）。
【００２９】
このメニュー項目優先表示の具体例としては、例えばＵｓｅｒ１が月曜日に優先表示選択メニューにおいて「曜日優先」を選択した場合、図３の実績データより、Ｕｓｅｒ１の曜日別選択回数のうち、月曜日におけるメニュー項目の選択実績は、「掲示板」が４０回，「ブックマーク」が５回，「報告書作成」が０回，「電子メール」が３０回，「会議室予約」が２５回，「スケジュール」が２０回となっているため、図６のようにＵｓｅｒ１が月曜日によく選択しているメニュー項目として選択回数が多い順に、メニュー項目が上位から優先的に表示されることとなる。
【００３０】
また、Ｕｓｅｒ１が２２日（下旬）に優先表示選択メニューにおいて「上中下旬優先」を選択した場合には、Ｕｓｅｒ１の上中下旬別選択回数のうち、下旬におけるメニュー項目の選択実績は、「掲示板」が０回，「ブックマーク」が１０回，「報告書作成」が３０回，「電子メール」が５０回，「会議室予約」が１５回，「スケジュール」が３５回となっているため、図７のようにＵｓｅｒ１が毎月下旬によく選択しているメニュー項目として選択回数が多い順に、メニュー項目が上位から優先的に表示されることとなる。
【００３１】
また、Ｕｓｅｒ１が１６時台に優先表示選択メニューにおいて「時間帯優先」を選択した場合には、Ｕｓｅｒ１の時間帯別選択回数のうち、１５時から１７時台までの間におけるメニュー項目の選択実績は、「掲示板」が０回，「ブックマーク」が２５回，「報告書作成」が２０回，「電子メール」が４０回，「会議室予約」が１０回，「スケジュール」が３５回となっているため、図８のようにＵｓｅｒ１が１５時から１７時台までの間によく選択しているメニュー項目として選択回数が多い順に、メニュー項目が上位から優先的に表示されることとなる。
【００３２】
以上のようにして優先表示されたメニュー項目から、利用者が利用したいメニュー項目を選択すると（ステップＳＴ７）、前記動作制御部１４は、タイマー１３からその時点の日付と時刻を取得し、利用者毎の該当メニュー項目の曜日別選択回数と上中下旬別選択回数と時間帯別選択回数に各々「１」を加算して実績データを更新し、この更新実績データを実績データ格納部１２に格納する（ステップＳＴ８）。
【００３３】
さらに前記動作制御部１４は、表示定義格納部１１の表示定義データに基づき、利用者に選択されたメニュー項目に対応するコマンド等の機能を実行させる（ステップＳＴ９）。
【００３４】
以上のようにして、メニュー項目を表示しようとする時点と同一の曜日，旬間，時間帯における過去の選択回数が多かったものほど、メニュー項目が優先的に表示されるようになる。そして利用者は、例えば毎月月末に必ず利用するメニュー項目を月末には必ず優先的に表示させる、あるいは毎週月曜日によく利用するメニュー項目を月曜日には必ず優先的に表示させることができるようになる。これにより、利用者の曜日，旬間あるいは時間帯による行動特性をメニュー項目表示に反映させることができるため、利用者の操作性の向上が図られることとなる。
【００３５】
［他実施形態］
ここで上記実施形態では、利用者の曜日，旬間あるいは時間帯による行動特性を反映させてメニュー項目の優先表示を行う画面表示制御システム１について説明しているが、他の実施形態として、利用者の曜日，旬間あるいは時間帯による行動特性を反映させたＷｅｂページの画面構成による表示を可能とする画面表示制御システム１ａに、上記実施形態の技術を応用した場合について、以下説明する。
【００３６】
この第二実施形態に係る画面表示制御システム１ａは、図９のように、各利用者端末２とネットワーク３により接続されるＷｅｂサーバ内に構築されたものであり、コンテンツ格納部１７と、実績データ格納部１２ａと、アクセス履歴情報格納部１８と、タイマー１３ａと、動作制御部１４ａと、受付部１５ａと、表示部１６ａとを有するものである。以下、各部について詳細に説明する。
【００３７】
［コンテンツ格納部］
前記コンテンツ格納部１７は、当該Ｗｅｂサーバがアクセス元に配信する各種コンテンツに関するデータを格納するためのものである。例えば第二実施形態におけるＷｅｂサーバがスポーツニュースを配信するものである場合、このコンテンツ格納部には、例えば「野球」，「サッカー」，「ゴルフ」，「競馬」，「格闘技」，「その他」の情報をそれぞれ提供する各コンテンツファイルが格納されている。
【００３８】
［実績データ格納部］
前記実績データ格納部１２ａは、利用者が選択したコンテンツ項目の選択操作の実績を格納するためのものである。この実績データ格納部１２ａに格納する実績データは、例えば図１０のように構成されている。図１０における実績データでは、利用者別およびコンテンツ別の画面表示回数について、曜日別，上中下旬別，および３時間毎の時間帯別にそれぞれ展開したデータ構成となっている。
【００３９】
［アクセス履歴情報格納部］
前記アクセス履歴情報格納部１８は、各利用者端末２から当該Ｗｅｂサーバの各種コンテンツへのアクセス履歴情報（アクセスログ）を格納するためのものであり、これによって、どの利用者が何時、どの種類のコンテンツにアクセスしたかを判断することが可能となる。
【００４０】
［タイマー］
前記タイマー１３ａは、利用者端末２からコンテンツへアクセスされた時点での日付および時刻のデータを取得するために利用する実時刻を示す時計である。
【００４１】
［動作制御部］
前記動作制御部１４ａは、図４の符号４ａと同様の優先表示選択メニューから利用者が選択した優先項目のデータと、前記実績データ格納部１２ａに格納されている画面表示回数に関する実績データと、前記タイマー１３ａから取得した日付時刻データとに基づいて、利用者端末２に最優先で画面表示するコンテンツの最優先表示順位付けを行う機能と、利用者端末２への画面表示回数の実績の更新を行ってその更新データを実績データ格納部１２ａに格納する機能とを有するものである。
【００４２】
［受付部］
前記受付部１５ａは、利用者からのアクセス，利用者の識別情報，および利用者に選択された優先項目データを受け付けるものである。
【００４３】
［表示部］
前記表示部１６ａは、このＷｅｂサーバへのアクセス時に優先表示選択メニューを利用者端末２の画面に表示させる機能と、利用者が選択した優先項目に従い前記動作制御部１４ａにより最優先表示順位付けされたコンテンツを前記コンテンツ格納部内から取得してトップページに替えて利用者端末の画面に優先表示させる機能とを有するものである。
【００４４】
［画面表示制御システムによる処理手順］
次に、第二実施形態に係る画面表示制御システム１ａによるコンテンツ優先表示の処理手順について、図１１を参照して説明する。尚、以下の説明では、図１０の実績データに基づいてコンテンツの優先表示が行われるものとする。
【００４５】
まず、利用者端末２からＷｅｂサーバへアクセスされると（ステップＳＴ１１）、前記表示部１６ａによって利用者端末２の画面上には図４の符号４ａに例示する優先表示選択メニューが表示される（ステップＳＴ１２）。このような状態でＷｅｂサーバ内の画面表示制御システム１ａは、利用者によって優先表示選択メニューにおける選択操作があるまで待機状態となる。そして、利用者が優先表示選択メニューにおいて優先項目選択操作を行うと（ステップＳＴ１３）、前記受付部１５ａが利用者端末２のオペレーティングシステム等から利用者を識別するための利用者情報を取得すると共に選択された優先項目データをも取得し、且つ前記動作制御部１４ａが、前記タイマー１３ａから上記優先項目選択操作が行われた時点の日付および時刻を取得する（ステップＳＴ１４）。
【００４６】
続いて、前記動作制御部１４ａが、前記受付部１５ａが取得した利用者情報および優先項目データと、前記実績データ格納部１２ａに格納済の実績データと、前記タイマー１３ａから取得した日付時刻データとに基づき、コンテンツ毎の過去における選択回数が最も多いコンテンツを選定する最優先表示順位付けを行う（ステップＳＴ１５）。そして、この最優先表示順位に従って、前記表示部１６ａが利用者端末２の画面上に、選択回数が過去に最も多かったコンテンツをトップページに替えて優先的に表示する（ステップＳＴ１６）。
【００４７】
このコンテンツ優先表示の具体例としては、例えばＵｓｅｒ１が金曜日に優先表示選択メニューにおいて「曜日優先」を選択した場合、上記第一実施形態と同様の処理が行われる。すなわち図１０の実績データより、Ｕｓｅｒ１の曜日別選択回数のうち、金曜日におけるコンテンツ項目の選択実績は、「野球」が２０回，「サッカー」が１０回，「ゴルフ」が５回，「競馬」が３０回，「格闘技」が０回，「その他」が５回となっているため、Ｕｓｅｒ１が金曜日に最も多く選択している「競馬」のコンテンツがＵｓｅｒ１の利用者端末には優先的に表示されることとなる。尚、「上中下旬優先」や「時間帯優先」が選択された場合についても、上記第一実施形態において「上中下旬優先」や「時間帯優先」を選択した場合と同様である。
【００４８】
以上のようにして、利用者端末２にコンテンツが優先表示されると、前記動作制御部１４ａは、タイマー１３ａからその時点の日付と時刻を取得し、利用者毎の該当コンテンツ項目の曜日別選択回数と上中下旬別選択回数と時間帯別選択回数に各々「１」を加算して実績データを更新し、この更新実績データを実績データ格納部１２ａに格納する（ステップＳＴ１７）。
【００４９】
さらに、利用者が続けて他のコンテンツにもアクセスした場合には（ステップＳＴ１８）、前記動作制御部１４ａは、アクセス履歴情報格納部１８のアクセス履歴情報に基づき、この他のコンテンツに関してステップＳＴ１７の処理を行い、利用者毎の該当コンテンツ項目の曜日別選択回数と上中下旬別選択回数と時間帯別選択回数に各々「１」を加算して実績データを再度更新し、この更新実績データを実績データ格納部１２ａに格納する。そして、当該利用者からのアクセスが終了した場合にＷｅｂサーバ内の画面表示制御システム１ａの処理も終了となる。
【００５０】
以上のように、第二実施形態に係る画面表示制御システム１ａによれば、利用者の曜日，旬間あるいは時間帯による行動特性をＷｅｂサーバからのコンテンツの表示に反映させることができるため、利用者の利便性の向上が図られることとなる。
【００５１】
【発明の効果】
以上説明したように、本発明によれば、利用者の習慣や業務スケジュール等に基づいた行動特性に対応した最適な画面表示を実現することができるため、利用者にとって操作性や利便性の向上が図られることとなる。
【図面の簡単な説明】
【図１】本発明の一実施形態に係る画面表示制御システムの構成図である。
【図２】第一実施形態における表示定義格納部内に格納される表示定義データの一例を示す図である。
【図３】第一実施形態における実績データ格納部内に格納される実績データの一例を示す図である。
【図４】利用者端末に表示される優先表示選択メニューおよびメニュー項目の表示態様の一例を示す図である。
【図５】第一実施形態に係る画面表示制御システムにおける処理手順を示すフローチャートである。
【図６】第一実施形態において利用者が曜日優先を選択した場合のメニュー項目表示の一例を示す図である。
【図７】第一実施形態において利用者が上中下旬優先を選択した場合のメニュー項目表示の一例を示す図である。
【図８】第一実施形態において利用者が時間帯優先を選択した場合のメニュー項目表示の一例を示す図である。
【図９】本発明の第二実施形態に係る画面表示制御システムの構成図である。
【図１０】第二実施形態における実績データ格納部内に格納される実績データの一例を示す図である。
【図１１】第二実施形態に係る画面表示制御システムにおける処理手順を示すフローチャートである。
【符号の説明】
１，１ａ…画面表示制御システム、２…利用者端末、３…ネットワーク、１１…表示定義格納部、１２，１２ａ…実績データ格納部、１３，１３ａ…タイマー、１４，１４ａ…動作制御部、１５，１５ａ…受付部、１６，１６ａ…表示部、１７…コンテンツ格納部、１８…アクセス履歴情報格納部。
【図１】
2004287815.tif 000003
【図２】
2004287815.tif 000004
【図３】
2004287815.tif 000005
【図４】
2004287815.tif 000006
【図５】
2004287815.tif 000007
【図６】
2004287815.tif 000008
【図７】
2004287815.tif 000009
【図８】
2004287815.tif 000010
【図９】
2004287815.tif 000011
【図１０】
2004287815.tif 000012
【図１１】
2004287815.tif 000013